(57)【要約】【課題】歯科治療中に生じる飛沫による患者の顔面汚染を防止するとともに、患者の不安感及びストレスの低減、及び患者と医師に負担をかけることなくコミュニケーションを図りやすくすること可能にする歯科用フェイスカバーであって、且つ、製造コストが低廉である歯科用フェイスカバーを提供する。【解決手段】患者の顔面の少なくとも目から口までを覆う大きさを有するシートに、口部を露出させるための開口部が形成された歯科用フェイスカバーであって、前記シートが、患者の顔面側に位置すべき非吸水性層と、前記非吸水性層上に積層された吸水性層とからなる二層構造のものである、歯科用フェイスカバー。【選択図】図１
0003141082.tif 000002
【実用新案登録請求の範囲】
【請求項１】
患者の顔面の少なくとも目から口までを覆う大きさを有するシートに、口部を露出させるための開口部が形成された歯科用フェイスカバーであって、
前記シートが、患者の顔面側に位置すべき非吸水性層と、前記非吸水性層上に積層された吸水性層とからなる層構造のものである、歯科用フェイスカバー。
【請求項２】
前記歯科用フェイスカバーで患者の顔を覆った際の、前記シートの患者の目を覆う部位に、複数のスリットが形成された、請求項１に記載の歯科用フェイスカバー。
【請求項３】
前記複数のスリットは、患者の顔幅方向に略平行な方向に形成され、前記スリット同士の間隔が５〜１５ｍｍであり、前記スリットの長さが１００〜１５０ｍｍである、請求項２に記載の歯科用フェイスカバー。
【請求項４】
前記複数のスリットは、患者の顔幅方向に略垂直な方向に形成され、前記スリット同士の間隔が５〜１５ｍｍであり、前記スリットの長さが５０〜９０ｍｍである、請求項２に記載の歯科用フェイスカバー。
【請求項５】
前記非吸水性層が、ポリビニルクロライド（ＰＶＣ）層及びポリエチレンテレフタレート（ＰＥＴ）層からなる群から選ばれる、請求項１〜４のいずれか１項に記載の歯科用フェイスカバー。
【請求項６】
前記吸水性層が、紙層、織布層、及び不織布層からなる群から選ばれる、請求項１〜５のいずれか１項に記載の歯科用フェイスカバー。
【請求項７】
前記シートがエンボス加工されたものである、請求項１〜６のいずれか１項に記載の歯科用フェイスカバー。
【請求項８】
患者の顔面の少なくとも目から口までを覆う大きさを有するシートに、口部を露出させるための開口部が形成された歯科用フェイスカバーであって、
前記歯科用フェイスカバーで患者の顔を覆った際の、前記シートの患者の目を覆う部位に、複数のスリットが形成された、歯科用フェイスカバー。
【請求項９】
前記複数のスリットは、顔幅方向に略平行な方向に形成され、前記スリット同士の間隔が５〜１５ｍｍであり、前記スリットの長さが１００〜１５０ｍｍである、請求項８に記載の歯科用フェイスカバー。
【請求項１０】
前記複数のスリットは、顔幅方向に略垂直な方向に形成され、前記スリット同士の間隔が５〜１５ｍｍであり、前記スリットの長さが５０〜９０ｍｍである、請求項８に記載の歯科用フェイスカバー。
【請求項１１】
前記シートがエンボス加工されたものである、請求項８〜１０のいずれか１項に記載の歯科用フェイスカバー。
【考案の詳細な説明】
【技術分野】
【０００１】
本考案は、歯科治療の際、患者の顔面を覆った状態で歯科治療を行うための歯科用フェイスカバーに関する。
【背景技術】
【０００２】
歯科治療においては、歯牙の切削、研磨、除石や、抜歯などの処置のため、エアータービンなどの切削用器材や超音波スケーラーなどの研磨用器材、３ウェイシリンジなどの乾燥、冷却、洗浄のためのシリンジが頻繁に使用される。これらの器材の使用に伴い、切削粉塵、冷却水、唾液、血液などが、患者の口腔外へ飛散し、患者の顔面を汚染することが多い。
【０００３】
このため、実用新案登録第３１０１２５９号公報（特許文献１）では、顔面の下半分を覆うシートの中央部に、患者の口腔部を露出さるための開窓部を形成した歯科用フェイスカバーが考案されている。このような歯科用フェイスカバーの使用により、歯科治療時に発生、飛散する異物が顔面に付着することを防ぐことを可能にしている。
【０００４】
また、近年の歯科治療においては、メンタル的な観点も重要視されている。例えば、患者の目の部分が露出すると、患者は視線のやり場に困り、医師も患者の視線によっては治療に集中できなくなることがあるという問題がある。反対に、患者の目の部分をシートで完全に隠すと、患者は治療内容が見えないことを不安に感じるとともに、医師との患者の最低限のコミュニケーションも困難になるという問題がある。
【０００５】
このため、実用新案登録第３１１０９６４号公報（特許文献２）では、目の部分から口の部分を覆う歯科用フェイスカバーにおいて、少なくとも目の部分に化学繊維のメッシュ素材を採用したフェイスカバーが考案されている。このような歯科用フェイスカバーの使用により、患者は外部を見ることができ、且つ外部からは患者の目が実質的に見ることができないようにし、患者の不安感の低減、及び患者と医師に負担をかけることなくコミュニケーションを図りやすくすることを可能にしている。
【特許文献１】実用新案登録第３１０１２５９号公報
【特許文献２】実用新案登録第３１１０９６４号公報
【考案の開示】
【考案が解決しようとする課題】
【０００６】
上記特許文献２に記載のような、メッシュ素材を採用した歯科用フェイスカバーは歯科治療時のメンタル的な問題の克服をも可能にしている。しかしながら、化学繊維のメッシュ素材を歯科用フェイスカバーの目の部分のみに用いる場合、そのような歯科用フェイスカバーの製造には、目の部分のみを覆う化学繊維のメッシュ素材と、目以外の部分を覆う他の素材とを、接着又は圧着して製造する工程が必要となる。また、メッシュ素材を歯科用フェイスカバーの全体に用いる場合、そのような歯科用フェイスカバーは、目の部を除く他の部分は、吸湿性を得るために、他の素材を積層したものでなければならない。このため、このような歯科用フェイスカバーの製造には、メッシュ素材と他の素材とを積層する前に、予め、当該他の素材を、目の部分を覆う部分を除いた形状に製造しておく必要が生じる。
【０００７】
このように、メッシュ素材を歯科用フェイスカバーに採用すると、製造にコストがかかるという問題が生じる。しかしながら、衛生上の観点及び感染防止の観点から使い捨てであるべき歯科用フェイスカバーは、製造コストが低廉であることが実用化にとって重要な要素となる。
【０００８】
そこで、本考案の目的は、歯科治療中に生じる飛沫による患者の顔面汚染を防止するとともに、患者の不安感及びストレスの低減、及び患者と医師に負担をかけることなくコミュニケーションを図りやすくすること可能にする歯科用フェイスカバーであって、且つ、製造コストが低廉である歯科用フェイスカバーを提供することを目的とする。
【課題を解決するための手段】
【０００９】
本考案は、以下の考案を含む。
（１）
患者の顔面の少なくとも目から口までを覆う大きさを有するシートに、口部を露出させるための開口部が形成された歯科用フェイスカバーであって、
前記シートが、患者の顔面側に位置すべき非吸水性層と、前記非吸水性層上に積層された吸水性層とからなる層構造のものである、歯科用フェイスカバー。
【００１０】
上記（１）の歯科用フェイスカバーは、非吸水性層を患者顔面側に、吸水性層を外部側にして使用することにより、歯科治療中に飛散した水分が比較的多量である場合でも、吸水性層が当該水分を吸収し、且つ、非吸水性層が当該水分の患者顔面への到達を阻止することが可能である。
【００１１】
（２）
前記歯科用フェイスカバーで患者の顔を覆った際の、前記シートの患者の目を覆う部位に、複数のスリットが形成された、（１）に記載の歯科用フェイスカバー。
【００１２】
上記（２）の歯科用フェイスカバーは、目の部分にスリット構造を有することにより、患者は、目の部分を覆われていながら、スリットを通して外部を見ることが可能となる。また、このように目の部分をカバーで覆われていながら外部を見ることができる構造を、スリット構造によって簡易に実現するため、製造コストを低廉にすることが可能となる。
【００１３】
（３）
前記複数のスリットは、患者の顔幅方向に略平行な方向に形成され、前記スリット同士の間隔が５〜１５ｍｍであり、前記スリットの長さが１００〜１５０ｍｍである、（２）に記載の歯科用フェイスカバー。
【００１４】
（４）
前記複数のスリットは、患者の顔幅方向に略垂直な方向に形成され、前記スリット同士の間隔が５〜１５ｍｍであり、前記スリットの長さが５０〜９０ｍｍである、（２）に記載の歯科用フェイスカバー。
【００１５】
上記（３）及び（４）の歯科用フェイスカバーは、患者がスリットを通して適度に外部を見ることを可能にする。
【００１６】
（５）
前記非吸水性層が、ポリビニルクロライド（ＰＶＣ）層及びポリエチレンテレフタレート（ＰＥＴ）層からなる群から選ばれる、（１）〜（４）のいずれかに記載の歯科用フェイスカバー。
【００１７】
上記（５）の歯科用フェイスカバーは、非吸水性層における非吸水性に優れる。
【００１８】
（６）
前記吸水性層が、紙層、織布層、及び不織布層からなる群から選ばれる、（１）〜（５）のいずれかに記載の歯科用フェイスカバー。
【００１９】
上記（６）の歯科用フェイスカバーは、吸水性層における吸水性に優れる。
【００２０】
（７）
前記シートがエンボス加工されたものである、（１）〜（６）のいずれかに記載の歯科用フェイスカバー。
【００２１】
上記（７）の歯科用フェイスカバーは、患者顔面に触れる側の非吸水性層においては良好な肌触り及びサラサラ感が得られ、外部側の吸水性層においてはより優れた吸水性が得られる。
【００２２】
（８）
患者の顔面の少なくとも目から口までを覆う大きさを有するシートに、口部を露出させるための開口部が形成された歯科用フェイスカバーであって、
前記歯科用フェイスカバーで患者の顔を覆った際の、前記シートの患者の目を覆う部位に、複数のスリットが形成された、歯科用フェイスカバー。
【００２３】
上記（８）の歯科用フェイスカバーは、目の部分にスリット構造を有することにより、患者は、目の部分を覆われていながら、スリットを通して外部を見ることが可能となる。また、このように目の部分をカバーで覆われていながら外部を見ることができる構造を、スリット構造によって簡易に実現するため、製造コストを低廉にすることが可能となる。
【００２４】
（９）
前記複数のスリットは、顔幅方向に略平行な方向に形成され、前記スリット同士の間隔が５〜１５ｍｍであり、前記スリットの長さが１００〜１５０ｍｍである、（８）に記載の歯科用フェイスカバー。
【００２５】
（１０）
前記複数のスリットは、顔幅方向に略垂直な方向に形成され、前記スリット同士の間隔が５〜１５ｍｍであり、前記スリットの長さが５０〜９０ｍｍである、（８）に記載の歯科用フェイスカバー。
【００２６】
上記（９）及び（１０）の歯科用フェイスカバーは、患者がスリットを通して適度に外部を見ることを可能にする。
【００２７】
（１１）
前記シートがエンボス加工されたものである、（８）〜（１０）のいずれかに記載の歯科用フェイスカバー。
【００２８】
上記（１１）の歯科用フェイスカバーは、良好な肌触り及びサラサラ感が得られる。
【考案の効果】
【００２９】
本考案によると、歯科治療中に生じる飛沫による患者の顔面汚染を防止するとともに、患者の不安感及びストレスの低減、及び患者と医師に負担をかけることなくコミュニケーションを図りやすくすること可能にする歯科用フェイスカバーであって、且つ、製造コストが低廉である歯科用フェイスカバーを提供することができる。
【考案を実施するための最良の形態】
【００３０】
図１は、本考案の歯科用フェイスカバー１の一態様を示す平面図である。図２は、本考案の歯科用フェイスカバー１の他の一態様を示す平面図である。図３は、図１においてIII−III線に沿って切断した歯科用フェイスカバー１の模式断面図である。ここで、図１は、図３の１ｂ層の側からみた平面図であり、以下の説明において、図１の右側を右、左側を左と称する。
【００３１】
本考案に係る歯科用フェイスカバーは、患者の顔に被せて使用する。図１及び２に示すように、本考案に係る歯科用フェイスカバー１においては、患者の顔面の少なくとも目から口までを覆う大きさを有するシートに、口部を露出させるための開口部２０が形成されている。
【００３２】
口部を露出させるための開口部の形状は、図１及び図２に示すような楕円形に限られず、円形、正方形、長方形、菱形、それらの組み合せ形状、及びその他の形状であっても良い。開口部の大きさとしては、治療のしやすさを考慮すると、その幅及び高さにおいて、８０〜１００ｍｍ程度とすることができる。
【００３３】
図１の歯科用フェイスカバー１に用いられるシートには、図３に示すように、非吸水性層１ａと吸水性層１ｂとからなる二層構造を有する柔軟性の材料を用いることができる。同様に、図２の歯科用フェイスカバー１にも、図３と同様の柔軟性の二層構造材料を用いることができる。
【００３４】
本考案の歯科用フェイスカバーにおいては、患者の顔に被さった場合に、自身の重さによって患者の顔の表面及び側面になじむように変形することができる程度の柔軟性が確保されていることが好ましい。このような柔軟性によって、患者の顔からフェイスカバーがずり落ちにくくなる。
【００３５】
このような柔軟性の二層構造を有する材料を用いた場合、非吸水性層を患者顔面側に、吸水性層を外部側にして使用することによって、歯科治療中に飛散した水分が比較的多量である場合でも、吸水性層が当該水分を吸収し、且つ非吸水性層が当該水分の患者顔面への到達を阻止することが可能である。
【００３６】
非吸水性層としては、ポリビニルクロライド（ＰＶＣ）層及びポリエチレンテレフタレート（ＰＥＴ）などが挙げられる。このような素材の非吸水性層を用いることによって、非吸水性層における非吸水性に優れた歯科用フェイスカバーとすることが可能である。なお、非吸水性層の厚さとしては、例えば０．０１〜０．１ｍｍ、好ましくは０．０３ｍｍ程度とすることができる。
【００３７】
吸水性層としては、紙層、織布層、及び不織布層などが挙げられる。吸水性層の厚さとしては、例えば、０．０１〜０．５ｍｍ或いは０．０１〜０．１ｍｍ、好ましくは０．０４ｍｍ程度とすることができる。このような素材の吸水性層を用いることによって、吸水性層における吸水性に優れた歯科用フェイスカバーとすることが可能である。
【００３８】
このような二層構造材料は、例えば、非吸水性素材のシート又はフィルム（以下、単にシートと表記する）と吸水性素材のシートとを積層して製造することができる。より具体的には、例えば、非吸水性素材の長尺シートが巻かれた原反ロールと、吸水性素材の長尺シートが巻かれた原反ロールとを用意し、各原反ロールから各シートを連続的に繰り出し、繰り出された各シートを重ねて圧着し、その後、所望の大きさにカッティングすることによって製造することができる。
【００３９】
なお、本考案においては、前記吸水性層と前記非吸水性層との間に、接着層やその他の中間層が存在していても良い。また、前記非吸水性層下面に、フェイスカバーの使用に際しての患者の顔表面の感覚をより良好にするための層がさらに存在していても良い。
【００４０】
本考案の歯科用フェイスカバー１は、患者の目を覆う部位に、複数のスリットが形成されていることが好ましい。当該複数のスリットとしては、例えば、図１に示す、顔幅方向に略平行な方向に形成されたスリット３０でも良いし、図２に示す、顔幅方向に略垂直な方向に形成されたスリット５０でも良い。このようなスリット構造３０又は５０を設けることによって、本考案の歯科用フェイスカバー１は以下の効果を奏する。すなわち、患者は、目の部分を覆われていながら、スリット３０又は５０を通して外部を見ることが可能となる。また、このように目の部分を覆われていながら外部を見ることができる構造を、スリット構造によって簡易に実現するため、製造コストを低廉にすることが可能となる。
【００４１】
図１に示すように顔幅方向に略平行な方向に形成されたスリット３０の場合、スリット間隔Ｄ３０を例えば５〜１５ｍｍ、スリット長さＬ３０を例えば１００〜１５０ｍｍとすることができる。また、図２に示すように顔幅方向に略垂直な方向に形成されたスリット５０の場合、スリット間隔Ｄ５０を例えば５〜１５ｍｍ、スリット長さＬ５０を例えば５０〜９０ｍｍとすることができる。スリット３０又は５０をこのような間隔及び長さで設けることによって、患者は、目の部分を覆われていながら、スリットを通して適度に外部を見ることが可能となる。
【００４２】
図１及び図２に示すように、本考案の歯科用フェイスカバー１は、鼻部を露出させるための開口部４０を設けても良い。鼻部を開口部４０から露出させることによって、歯科用フェイスカバーが患者の鼻に引っかかり、ずれを防止することができる。
【００４３】
鼻部を露出させるための開口部の形状は、図１及び図２に示すような三角形に限られず、楕円形、円形、正方形、長方形、菱形、それらの組み合せ形状、及びその他の形状であっても良い。
【００４４】
本考案の歯科用フェイスカバーは、シートにパンチング（打ち抜き加工）を行うことによって、非常に簡単に製造することが可能であり、且つ製造コストが非常に低廉である。
【００４５】
本考案者による歯科用フェイスカバー１の形態の試作及び実験の結果見いだされた、飛沫による顔面汚染防止及び患者の適度な視界の確保を好ましく実現する、大人用を想定した歯科用フェイスカバーの具体的サイズを、以下に示す。
【００４６】
すなわち、図１の歯科用フェイスカバー１の場合、幅Ｗ１：４００ｍｍ、高さＨ１：２５０ｍｍ、口部露出用開口部幅Ｗ２０：８６ｍｍ、口部露出用開口部高さＨ２０：９０ｍｍ、鼻部露出用開口部幅Ｗ４０：４０ｍｍ、鼻部露出用開口部高さＨ４０：２０ｍｍ、スリット長さＬ３０：１２５ｍｍ、スリット間隔Ｄ３０：１４ｍｍ、長さＬ１１：３４ｍｍ、長さＬ１２：１２ｍｍ、長さＬ１３：６ｍｍ、長さＬ１４：１８ｍｍ、左折り返し部分ＦＬ（後述）：１２５ｍｍ、右折り返し部分ＦＲ（後述）：１２５ｍｍ、の各サイズを有することが好ましい。
【００４７】
また、図２の歯科用フェイスカバー１の場合、幅Ｗ１：４００ｍｍ、高さＨ１：２５０ｍｍ、口部露出用開口部幅Ｗ２０：８６ｍｍ、口部露出用開口部高さＨ２０：９０ｍｍ、鼻部露出用開口部幅Ｗ４０：４０ｍｍ、鼻部露出用開口部高さＨ４０：２０ｍｍ、スリット長さＬ５０：７０ｍｍ、スリット間隔Ｄ５０：１４ｍｍ、長さＬ１１：３６ｍｍ、長さＬ１２：１０ｍｍ、長さＬ１３：６ｍｍ、長さＬ１４：１８ｍｍ、左折り返し部分ＦＬ（後述）：１２５ｍｍ、右折り返し部分ＦＲ（後述）：１２５ｍｍ、の各サイズを有することが好ましい。
【００４８】
図１又は図２に示す本考案の歯科用フェイスカバー１の態様において、患者の顔の大きさによって、各サイズを適宜変更することによって、複数のサイズの歯科用フェイスカバーを作り分けることができる。各種サイズの歯科用フェイスカバーは、例えば、大人用と子供用との間での使い分けや、さらにＳ、Ｍ、Ｌサイズのようにサイズ展開をすることによって、患者の顔のサイズに応じての使い分けを行うことが可能になる。
【００４９】
本考案の歯科用フェイスカバーは、シート全体がエンボス加工されていても良い。エンボス加工により、良好な肌触り及びサラサラ感が得られる。シート素材として二層構造材料を採用した歯科用フェイスカバーの場合は、患者顔面に触れる側の非吸水性層においては良好な肌触り及びサラサラ感が得られ、外部側の吸水性層においてはより優れた吸水性が得られる。
【００５０】
本考案の歯科用フェイスカバーは、さらに折り加工を施されたものであっても良い。例えば図１の場合、歯科用フェイスカバー１のＦａ−Ｆａを結ぶ線及びＦｂ−Ｆｂを結ぶ線において、折り目を施されていても良い。ここで、歯科用フェイスカバー１においてＦａ−Ｆａ線で折って出来るシート左折り返し部分をＦＬ、Ｆｂ−Ｆｂ線で折って出来るシート右折り返し部分をＦＲと記載する。
【００５１】
図１のＦａ−Ｆａ線及びＦｂ−Ｆｂ線における折り方は、例えば、いずれも山折とすることができる。すなわち、歯科用フェイスカバー１を巻き三つ折とすることができる。この場合、折線間（すなわちＦａ−Ｆｂ間）を、適当な長さ、例えば１５０ｍｍ程度に設定することによって、折り返し部分を広げて患者の顔に被せた際、患者の顔面及び顔の側面に歯科用フェイスカバー１が沿い、ずれにくくなる。また、折り返し部分ＦＬ及びＦＲを十分に、例えば少なくとも１２０ｍｍ程度取ることによって、折り返し部分の適度な重みがかかり、患者の顔面から歯科用フェイスカバー１がよりずれにくくなる。また、折り返し部分により、患者の顔の側面、特に耳部分まで十分に覆うことが出来る。
【００５２】
また、Ｆａ−Ｆａ線及びＦｂ−Ｆｂ線における折り方は、例えば、いずれか一方を山折、いずれか他方を谷折とすることができる。すなわち、歯科用フェイスカバー１を外三つ折とすることができる。この場合も、Ｆａ−Ｆｂ間の距離、及び、折り返し部分ＦＬ及びＦＲの幅を、上記巻き三つ折の場合と同様に設定することができる。
【００５３】
例えば、歯科用フェイスカバー１において、Ｆａを山折、Ｆｂを谷折とした外三つ折とする場合、以下のように歯科用フェイスカバー１をパッケージングすることができる。
すなわち、第１の外三つ折フェイスカバーに、第２の外三つ折フェイスカバーを、当該第１の外三つ折フェイスカバーの右折り返し部分ＦＲの１ｂ面と当該第２の外三つ折フェイスカバーの左折り返し部分ＦＬの１ａ面とが接するよう重ね、次に、当該第２の外三つ折フェイスカバーに、第３の外三つ折フェイスカバーを、当該第２の外三つ折フェイスカバーの右折り返し部分ＦＲの１ｂ面と当該第３の外三つ折フェイスカバーの左折り返し部分ＦＬの１ａ面とが接するように重ねる、というように連続して複数の外三つ折フェイスカバーを重ねることによって、パッケージングすることができる。
【００５４】
このようにパッケージングされると、ボックスティッシュ様に、パッケージから一枚のフェイスカバーを取り出すと次の一枚のフェイスカバーの折り返し部分が飛び出すため、パッケージからの取り出しが簡単になる。このような取り出しやすさは、使い捨ての歯科用フェイスカバーにとって有用である。
【００５５】
図２の歯科用フェイスカバーにおいても、上記図１の場合と同じように、折り加工及びパッケージングを行うことが出来る。
【図面の簡単な説明】
【００５６】
【図１】本考案の歯科用フェイスカバー１の一態様を示す平面図である。
【図２】本考案の歯科用フェイスカバー１の他の一態様を示す平面図である。
【図３】図１及においてIII−III線に沿って切断した歯科用フェイスカバー１の模式断面図である。
【符号の説明】
【００５７】
１      歯科用フェイスカバー
１ａ    非吸水性層
１ｂ    吸水性層
２０    口部露出用開口部
３０    スリット
４０    鼻部露出用開口部
５０    スリット
【図１】
0003141082.tif 000003
【図２】
0003141082.tif 000004
【図３】
0003141082.tif 000005
【手続補正書】
【提出日】平成20年2月21日(2008.2.21)
【手続補正１】
【補正対象書類名】実用新案登録請求の範囲
【補正対象項目名】全文
【補正方法】変更
【補正の内容】
【実用新案登録請求の範囲】
【請求項１】
患者の顔面の少なくとも目から口までを覆う大きさを有するシートに、口部を露出させるための開口部が形成された歯科用フェイスカバーであって、
前記シートが、患者の顔面側に位置すべき非吸水性層と、前記非吸水性層上に積層された吸水性層とからなる層構造のものである、歯科用フェイスカバー。
【請求項２】
前記歯科用フェイスカバーで患者の顔を覆った際の、前記シートの患者の目を覆う部位に、複数のスリットが形成された、請求項１に記載の歯科用フェイスカバー。
【請求項３】
前記複数のスリットは、患者の顔幅方向に略平行な方向に形成され、前記スリット同士の間隔が５〜１５ｍｍであり、前記スリットの長さが１００〜１５０ｍｍである、請求項２に記載の歯科用フェイスカバー。
【請求項４】
前記複数のスリットは、患者の顔幅方向に略垂直な方向に形成され、前記スリット同士の間隔が５〜１５ｍｍであり、前記スリットの長さが５０〜９０ｍｍである、請求項２に記載の歯科用フェイスカバー。
【請求項５】
前記非吸水性層が、ポリビニルクロライド（ＰＶＣ）層及びポリエチレンテレフタレート（ＰＥＴ）層からなる群から選ばれる、請求項１〜４のいずれか１項に記載の歯科用フェイスカバー。
【請求項６】
前記吸水性層が、紙層、織布層、及び不織布層からなる群から選ばれる、請求項１〜５のいずれか１項に記載の歯科用フェイスカバー。
【請求項７】
前記シートがエンボス加工されたものである、請求項１〜６のいずれか１項に記載の歯科用フェイスカバー。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】